(57)【要約】【課題】陳列状態を簡単に転換でき、低コストで製造できると共に、体裁よく商品を陳列できる陳列具を提供する。【解決手段】複数段のトレー１，２を連結し、これらのトレー１，２を相対移動させることにより、トレー１，２が上下に並んで吊り下げられるハンガー状態の陳列と、階段状に並んで設置されるカウンター状態の陳列とに兼用可能な陳列具において、上段側トレー１の両側壁１２及び後壁１３を底壁１５より下方へ延長して、側壁１２の延長部分に後下部から前上部へ向けて斜方向に延びるガイド用長穴１２ａを形成し、下段側トレー２の両側壁２２から突出させたビス２６を長穴１２ａにスライド自在に挿通し、上下のトレー１，２が長穴１２ａに沿って相対移動することにより、陳列状態が転換されるようにする。【選択図】図２
2006239387.tif 000002
【特許請求の範囲】
【請求項１】
複数段のトレー１，２を連結し、これらのトレー１，２を相対移動させることにより、トレー１，２が上下に並んで吊り下げられるハンガー状態の陳列と、階段状に並んで設置されるカウンター状態の陳列とに兼用可能な陳列具において、上段側トレー１の両側壁１２及び後壁１３を底壁１５より下方へ延長して、この側壁１２の延長部分にガイド用長穴１２ａを形成し、下段側トレー２の両側壁２２に突設した係止部を前記長穴１２ａにスライド自在に挿通し、上下のトレー１，２が長穴１２ａに沿って相対移動するようにしたことを特徴とする陳列具。
【請求項２】
請求項１に記載の陳列具において、前記ガイド用長穴１２ａを、上段側トレー１の側壁１２の後下部から前上部へ向けて斜方向に延びるものとしたことを特徴とする陳列具。
【請求項３】
請求項１に記載の陳列具において、前記ガイド用長穴１２ａを、上段側トレー１の側壁１２の上部に設けた軸芯部を中心として弧状に湾曲したものとし、上下のトレー１，２の両側方に外側板３を設け、この外側板３を、前記軸芯部で揺動自在に軸支すると共に、ガイド用長穴１２ａに挿通された下段側トレー２の係止部に回動自在に係止したことを特徴とする陳列具。
【発明の詳細な説明】
【技術分野】
【０００１】
この発明は、店頭に吊下又は設置してトレーに乗せた商品を陳列する陳列具に関するものである。
【背景技術】
【０００２】
例えば、下記特許文献１には、図１５及び図１６に示すように、トレー５１，５２を連結棒５３を介して連結し、トレー５１，５２の後壁を繋ぐ背板５４に折畳式の台座５５を備え、背板５４を屈曲又は伸長させると共に、台座５５を組み立て又は折り畳んで、これらのトレー５１，５２を相対的に回転させつつ移動させることにより、トレー５１，５２が階段状に並んで設置されるカウンター状態の陳列と、上下に並んで吊り下げられるハンガー状態の陳列とに兼用可能とした紙製の陳列具が記載されている。
【０００３】
また、下記特許文献２には、図１７及び図１８に示すように、トレー６１，６２が上下に並んで吊り下げられるハンガー状態の陳列と、階段状に並んで設置されるカウンター状態の陳列とに兼用可能な陳列具において、上段側トレー６１の両側壁６３及び後壁６４を底壁６５より下方へ延長すると共に、下段側トレー６２の両側壁６６にＬ字状のガイド用長穴６７を形成しておき、上段側トレー６１の側壁６３の下部に差し込んだビス６８を長穴６７にスライド自在に挿通し、上下のトレー６１，６２が長穴６７に沿って相対移動するようにしたものが記載されている。
【０００４】
【特許文献１】実公平２−２７８１９号公報
【特許文献２】特開平９−９４１４１号公報
【発明の開示】
【発明が解決しようとする課題】
【０００５】
しかしながら、上記特許文献１に記載の陳列具では、ハンガー状態の陳列とカウンター状態の陳列との転換を行うのに手間がかかるだけでなく、構成部材も多数に及び、製造コストが嵩むという問題もある。
【０００６】
また、上記特許文献２に記載の陳列具では、カウンター状態での陳列時に、下段側トレー６２の長穴６７が上段側トレー６１の側壁６３から前方に突き出して目につきやすく、美観上問題がある。
【０００７】
そこで、この発明は、陳列状態を簡単に転換することができ、低コストで製造できると共に、体裁よく商品を陳列できる陳列具を提供することを課題とする。
【課題を解決するための手段】
【０００８】
上記課題を解決するため、この発明は、複数段のトレーを連結し、これらのトレーを相対移動させることにより、トレーが上下に並んで吊り下げられるハンガー状態の陳列と、階段状に並んで設置されるカウンター状態の陳列とに兼用可能な陳列具において、上段側トレーの両側壁及び後壁を底壁より下方へ延長して、この側壁の延長部分にガイド用長穴を形成し、下段側トレーの両側壁に突設した係止部を前記長穴にスライド自在に挿通し、上下のトレーが長穴に沿って相対移動するようにしたのである。
【０００９】
また、この陳列具において、前記ガイド用長穴を、上段側トレーの側壁の後下部から前上部へ向けて斜方向に延びるようにし、下段側トレーの自重で係止部が長穴沿いにスライドして、陳列状態が転換されるようにしたのである。
【００１０】
また、前記ガイド用長穴を、上段側トレーの側壁の上部に設けた軸芯部を中心として弧状に湾曲したものとし、上下のトレーの両側方に外側板を設け、この外側板を、前記軸芯部で揺動自在に軸支すると共に、ガイド用長穴に挿通された下段側トレーの係止部に回動自在に係止して、外側板の揺動に伴い陳列状態が転換されるようにしたのである。
【発明の効果】
【００１１】
このように構成した陳列具では、上下のトレーを長穴に沿って相対移動させるだけで、ハンガー状態とカウンター状態との転換を行うことができるので、店頭でのディスプレイ作業を迅速に行うことができ、トレーが安定した状態で商品を陳列することができる。
【００１２】
また、連結棒や台座が不要となり、構成部材が少ないので、材料費が抑制され、製造に際し簡単に組み立てることができ、低コストで製造できる。
【００１３】
また、カウンター状態での陳列時に、前方へ突き出す下段側トレーの側壁に長穴がないので、視覚的に煩わしい印象を与えることがなく、すっきりした状態で商品を陳列することができ、外側板を有するものでは、上下トレーの一体感を演出することもできる。
【発明を実施するための最良の形態】
【００１４】
まず、この発明の第１実施形態を図１乃至図３に基づいて説明する。
【００１５】
この陳列具は、図１に示すような板紙製のブランクから成り、上段側トレー１と、下段側トレー２とから構成される。
【００１６】
上段側トレー１のブランクでは、前壁１１の両側に側壁１２が連設され、一方の側壁１２の外側に後壁１３が、他方の側壁１２の外側に継代１４がそれぞれ連設されている。前壁１１の上端には内前板１１ａ及び底壁１５が順次連設され、底壁１５の両側には側当片１５ａが、先端には後当片１５ｂがそれぞれ連設されている。
【００１７】
後壁１３は側壁１２の上端よりも上方へ延長され、後壁１３の上端には後重板１３ａが連設されている。後壁１３及び後重板１３ａには、その境界を挟んで両側部に紐穴１３ｂが対称に設けられている。
【００１８】
一対の側壁１２及び後壁１３は、前壁１１の下端よりも下方へ延長され、側壁１２の延長部分には、後下部から前上部へ向けて斜めに延びるガイド用長穴１２ａが形成されている。後壁１３には、前壁１１の下端位置に対応する高さに切込１３ｃが入れられている。
【００１９】
また、下段側トレー２のブランクでは、前壁２１の両側に側壁２２が連設され、一方の側壁２２の外側に後壁２３が、他方の側壁２２の外側に継代２４がそれぞれ連設されている。前壁２１の上端には内前板２１ａ及び底壁２５が順次連設され、前壁２１、各側壁２２及び後壁２３の下端には、外底板２５ａ，２５ｂ，２５ｃがそれぞれ連設され、また、一対の側壁２２の後上部にはビス穴２２ａが設けられている。
【００２０】
このようなブランクから陳列具を組み立てるには、図２に示すように、トレー１において、前壁１１、一対の側壁１２及び後壁１３を角筒状に折り曲げて、継代１４を後壁１３に貼り付け、また、後重板１３ａを後壁１３の前側へ折り曲げて貼り付ける。
【００２１】
次に、内前板１１ａを前壁１１の内側に沿うように下方へ折り曲げ、底壁１５を後方へ折り曲げて、側当片１５ａを側壁１２の内側に沿わせるように上方へ折り曲げつつ、後当片１５ｂを下方へ折り曲げて、切込１３ｃに差し込む。
【００２２】
また、トレー２において、一対の側壁２２及び後壁２３を角筒状に折り曲げて、継代２４を後壁２３に貼り付け、外底板２５ａ，２５ｂ，２５ｃを組み合わせ、内前板２１ａを前壁２１の内側に沿うように下方へ折り曲げ、底壁２５を後方へ折り曲げて、外底板２５ａ，２５ｂ，２５ｃの上に重ねる。
【００２３】
そして、トレー２をトレー１に係止する係止部として、プラスチック製のビス２６をトレー２のビス穴２２ａ及びトレー１の長穴１２ａにスライド自在に挿通し、その軸部に頭部を嵌めて、ビス２６が長穴１２ａ及びビス穴２２ａから抜け止めされるようにする。
【００２４】
上記のように組み立てた陳列具では、商品を陳列する際、図２に示すように、紐穴１３ｂに紐１６を挿通して吊り下げると、ビス２６が長穴１２ａの下端に位置し、トレー１，２が上下に並んで吊り下げられるハンガー状態の陳列とすることができる。
【００２５】
このハンガー状態においては、トレー２の後壁２３に、トレー１の後壁１３の延長部分が当接して、トレー２の揺動が阻止されるので、トレー２に商品を収納したとき、トレー２が前のめりになる現象が防止される。
【００２６】
また、この状態から、トレー１を長穴１２ａに沿って斜め後下方へスライドさせると、図３に示すように、トレー１，２が階段状に並んで設置されるカウンター状態の陳列とすることができる。
【００２７】
このカウンター状態においては、トレー１の一対の側壁１２と後壁１３の下方への延長部分が脚体となって、上段側トレー１が直立状態に支持される。また、前方へ突き出す下段側トレー２の側壁２２に長穴がないので、視覚的に煩わしい印象を与えることがなく、すっきりした状態で商品を陳列することができる。
【００２８】
そして、このカウンター状態から紐１６を引き上げて陳列具を持ち上げると、トレー１がトレー２に対し長穴１２ａに沿って斜め前上方へスライドし、陳列具は、図２に示すようなハンガー状態に復帰する。
【００２９】
このように、上記のような陳列具では、トレー１，２を長穴１２ａに沿って相対移動させるだけで、ハンガー状態とカウンター状態との転換を行うことができるので、店頭でのディスプレイ作業を迅速に行うことができ、トレー１，２が安定した状態で商品を陳列することができる。
【００３０】
また、主要構成部材は、トレー１，２だけであり、構成部材が少ないので、材料費が抑制され、製造時の組み立てに際しては、トレー１，２を直接連結するだけでよく、作業が簡単であり、低コストで製造できる。
【００３１】
なお、トレー２をトレー１に係止する係止部としては、ビス２６に代えて、図４乃至図６に示す第２実施形態のように、トレー２の一対の側壁２２の後上部に、長穴１２ａよりも最大幅が広く、基端が括れた係止片２２ｂを切り起こしにより２個ずつ形成し、この係止片２２ｂを長穴１２ａに撓ませつつ挿通して、その復元に伴い、係止片２２ｂが長穴１２ａから抜け止めされるようにすると、さらに安価に製造することができる。
【００３２】
また、上記各実施形態では、２段のトレーを備えたものを示したが、３段以上のトレーを備えた陳列具においても、上下のトレーが長穴１２ａに沿って斜め方向に相対移動する同様の構成を採用することができる。この場合、上方に位置するトレーほど、側壁１２及び後壁１３の下方への延長部分を長く設定する必要がある。
【００３３】
次に、この発明の第３実施形態を図７乃至図１０に基づいて説明する。
【００３４】
この陳列具では、図７のブランクに示すように、トレー１の側壁１２の上部に縦長のビス穴１２ｂが設けられ、前後に延びるガイド用長穴１２ａがビス穴１２ｂの上部を中心として弧状に湾曲している。長穴１２ａの後側となる端部には、下方へ延びる縦長部分１２ｃが設けられ、トレー２の側壁２２に形成されたビス穴２２ａも縦長とされている。
【００３５】
この陳列具の組み立てに際しては、図８及び図９に示すように、トレー１，２の両側方に外側板３を取り付ける。この外側板３は、一側で繋がった内面板３１と外面板３２とを重ね合わせて糊代片３３で固着した二重構造とされ、内面板３１の上部及び下部にはそれぞれビス穴３ａ，３ｂが設けられている。
【００３６】
外側板３の取り付けに際しては、ビス１７をビス穴３ａと、トレー１のビス穴１２ｂとに挿通し、ビス２６をビス穴３ｂと、トレー１の長穴１２ａと、トレー２のビス穴２２ａとに挿通する。これにより、外側板３は、軸芯部となるビス１７により揺動自在に支持されると共に、ビス２６によりトレー２に回動自在に係止される。
【００３７】
このような陳列具では、図９に示すように、ビス２６がガイド用長穴１２ａ後部に位置しているとき、トレー１，２が上下に並んで吊り下げられるハンガー状態となる。このとき、トレー２の自重により、ビス２６が長穴１２ａの縦長部分１２ｃに嵌まり込んで、トレー２は前のめりになることなく、直立状態でロックされ、ビス２６はビス穴２２ａの上端に、ビス１７はビス穴１２ｂの下端にそれぞれ位置する。
【００３８】
また、図１０に示すように、トレー２を少し持ち上げて上記ロックを解除し、トレー１に対しトレー２を長穴１２ａに沿って前方へスライドさせると、トレー１，２が階段状に並んで設置されるカウンター状態となる。このとき、トレー２は、底壁２５が水平状態を維持するように、ビス２６を中心として外側板３に対して相対回転しつつ移動し、ビス２６はビス穴２２ａの下端に、ビス１７はビス穴１２ｂの上端にそれぞれ位置する。
【００３９】
この陳列具のように、上下のトレー１，２に亘って、その両側方に外側板３を設けておくと、トレー１，２の一体感を演出することができ、視覚的に安定感のある陳列状態とすることができる。
【００４０】
次に、この発明の第４実施形態を図１１乃至図１４に基づいて説明する。
【００４１】
この陳列具は、上記第３実施形態のものと基本構成が共通であるが、図１４に示すように、トレー２の側壁２２を外側板３の下部内面に貼り付けており、外側板３が一重となっている。この陳列具では、カウンター状態において、トレー２が前上がりの姿勢となり、特徴のある陳列が可能となる。
【００４２】
また、図１３に示すハンガー状態において、トレー２を安定させるためロックする必要がないので、図１１及び図１２に示すように、ガイド用長穴１２ａの縦長部分を省略して弧状部分だけとし、ビス穴１２ｂ，２２ａも縦長ではなく丸穴として、構造及び操作の簡素化を図ることができる。
【００４３】
なお、上記第３及び第４実施形態において、下方のビス２６に代えて、第２実施形態で示したように、下段側トレー２の側壁２２を切り起こして形成した係止片を、ガイド用長穴１２ａに挿通して外側板３に係止するように構成すると、製造コストをさらに抑制することができる。
【図面の簡単な説明】
【００４４】
【図１】この発明の第１実施形態に係る陳列具のブランクを示す図
【図２】同上のハンガー状態を示す斜視図
【図３】同上のカウンター状態を示す斜視図
【図４】この発明の第２実施形態に係る陳列具のブランクを示す図
【図５】同上のハンガー状態を示す斜視図
【図６】同上のカウンター状態を示す斜視図
【図７】この発明の第３実施形態に係る陳列具のブランクを示す図
【図８】同上の組立過程を示す分解斜視図
【図９】同上のハンガー状態を示す斜視図
【図１０】同上のカウンター状態を示す斜視図
【図１１】この発明の第４実施形態に係る陳列具のブランクを示す図
【図１２】同上の組立過程を示す分解斜視図
【図１３】同上のハンガー状態を示す斜視図
【図１４】同上のカウンター状態を示す斜視図
【図１５】特許文献１に記載の陳列具のカウンター状態を示す斜視図
【図１６】同上のハンガー状態を示す側面図
【図１７】特許文献２に記載の陳列具のハンガー状態を示す斜視図
【図１８】同上のカウンター状態を示す斜視図
【符号の説明】
【００４５】
１，２  トレー
３  外側板
３ａ，３ｂ  ビス穴
１１，２１  前壁
１２，２２  側壁
１２ｂ，２２ａ  ビス穴
２２ｂ  係止片
１２ａ  長穴
１３，２３  後壁
１４，２４  継代
１５，２５  底壁
１７，２６  ビス
【図１】
2006239387.tif 000003
【図２】
2006239387.tif 000004
【図３】
2006239387.tif 000005
【図４】
2006239387.tif 000006
【図５】
2006239387.tif 000007
【図６】
2006239387.tif 000008
【図７】
2006239387.tif 000009
【図８】
2006239387.tif 000010
【図９】
2006239387.tif 000011
【図１０】
2006239387.tif 000012
【図１１】
2006239387.tif 000013
【図１２】
2006239387.tif 000014
【図１３】
2006239387.tif 000015
【図１４】
2006239387.tif 000016
【図１５】
2006239387.tif 000017
【図１６】
2006239387.tif 000018
【図１７】
2006239387.tif 000019
【図１８】
2006239387.tif 000020